(57)【特許請求の範囲】
【請求項１】
写真の画像データを記憶する記憶装置から特定の画像データを検索し、検索された画像データを編集し、編集して得たデータを送信する電子アルバム作成装置と、該電子アルバム作成装置から送信されたデータを受信し、再生する再生装置とを備える電子アルバムシステムであって、
前記再生装置は、
画像データを検索するための時間情報を送信する手段と、
使用者の年齢を示す年齢情報を送信する手段と
を備え、
前記電子アルバム作成装置は、
画像データ並びに該画像データの撮影時及び撮影地点を示す情報を含む画像属性情報を記憶する画像記憶手段と、
楽曲データ並びに該楽曲データの時間の情報及び該楽曲データに関連する位置を示す情報を含む楽曲属性情報を記憶する楽曲記憶手段と、
使用者の誕生時を示す誕生時情報を記憶する手段と、
前記再生装置から送信された時間情報を受信する手段と、
前記再生装置から送信された年齢情報を受信する手段と、
受信した時間情報に基づいて、特定の画像データを検索する手段と、
受信した年齢情報、前記誕生時情報、前記画像属性情報及び前記楽曲属性情報に基づいて、前記特定の画像データに関連する楽曲データを選択する選択手段と、
前記特定の画像データ及び前記選択手段が選択した楽曲データを、画像データの時系列順に送信する送信手段と
を備え、
前記再生装置は、
前記送信手段が送信した画像データ及び楽曲データを受信する受信手段と、
使用者の年齢情報に基づく年齢幅の始点を示す年齢幅始点表示線及び該年齢幅の終点を示す年齢幅終点表示線、並びに前記受信手段が受信した画像データ及び楽曲データを並行的に再生する再生手段と、
画像データ及び楽曲データを並行的に再生している場合、前記年齢幅始点表示線及び年齢幅終点表示線の移動操作によって、楽曲データの選択に用いた年齢の始点及び終点の変更を受け付ける手段と、
受け付けた年齢幅を示す年齢情報を前記電子アルバム作成装置へ送信する手段と
を備え、
更に、
前記電子アルバム作成装置は、
前記再生装置から送信された年齢情報を受信する手段を備え、
前記選択手段は、
受信した年齢情報、前記誕生時情報及び楽曲属性情報に基づいて、変更された年齢幅に関連する楽曲データを選択するようにしてある
ことを特徴とする電子アルバムシステム。
【請求項２】
前記再生装置は、
画像データ及び該画像データの画像属性情報を送信する手段を備え、
前記電子アルバム作成装置は、
前記再生装置から送信された画像データ及び画像属性情報を受信する手段を備え、
前記画像記憶手段は、
受信した画像データ及び画像属性情報を記憶するようにしてある
ことを特徴とする請求項１に記載の電子アルバムシステム。
【請求項３】
前記再生装置は、
画像データ及び画像属性情報を含む画像ファイルを送信する手段を備え、
前記電子アルバム作成装置は、
前記再生装置から送信された画像ファイルを受信する手段と、
受信した画像ファイルから画像属性情報を抽出する手段と
を備え、
前記画像記憶手段は、
抽出された画像属性情報を記憶するようにしてある
ことを特徴とする請求項２に記載の電子アルバムシステム。
【請求項４】
前記楽曲属性情報は、楽曲データの流行時期を示す情報を含む
ことを特徴とする請求項１乃至請求項３のいずれか一つに記載の電子アルバムシステム。
【請求項５】
写真の画像データを記憶する記憶装置から特定の画像データを検索し、検索された画像データを編集し、編集して得たデータを送信する電子アルバム作成装置と、該電子アルバム作成装置から送信されたデータを受信し、再生する再生装置とを用いた電子アルバム作成方法であって、
前記再生装置は、
画像データを検索するための時間情報及び使用者の年齢を示す年齢情報を送信し、
前記電子アルバム作成装置は、
画像データ並びに該画像データの撮影時及び撮影地点を示す情報を含む画像属性情報を記憶する画像記憶手段と、楽曲データ並びに該楽曲データの時間の情報及び該楽曲データに関連する位置を示す情報を含む楽曲属性情報を記憶する楽曲記憶手段と、使用者の誕生時を示す誕生時情報を記憶する手段とを用意し、
前記再生装置から送信された時間情報及び年齢情報を受信し、
受信した時間情報に基づいて、特定の画像データを検索し、
受信した年齢情報、前記誕生時情報、前記画像属性情報及び前記楽曲属性情報に基づいて、前記特定の画像データに関連する楽曲データを選択し、
前記特定の画像データ及び選択された楽曲データを、画像データの時系列順に送信し、
前記再生装置は、
送信された画像データ及び楽曲データを受信し、
使用者の年齢情報に基づく年齢幅の始点を示す年齢幅始点表示線及び該年齢幅の終点を示す年齢幅終点表示線、並びに前記受信手段が受信した画像データ及び楽曲データを並行的に再生し、
画像データ及び楽曲データを並行的に再生している場合、前記年齢幅始点表示線及び年齢幅終点表示線の移動操作によって、楽曲データの選択に用いた年齢の始点及び終点の変更を受け付け、
受け付けた年齢幅を示す年齢情報を前記電子アルバム作成装置へ送信し、
前記電子アルバム作成装置は、
前記再生装置から送信された年齢情報を受信し、
受信した年齢情報、前記誕生時情報及び楽曲属性情報に基づいて、変更された年齢幅に関連する楽曲データを選択する
ことを特徴とする電子アルバム作成方法。
【発明の詳細な説明】
【技術分野】
【０００１】
本発明は、写真の画像データを記憶する記憶装置から特定の画像データを検索及び編集する電子アルバムシステム及び電子アルバム作成方法に関する。
【背景技術】
【０００２】
電子アルバムシステムは、利用者がデジタルカメラで撮影して得た写真の画像データを電子アルバムとして蓄積及び編集する電子アルバム作成装置と、電子アルバム作成装置に蓄積された画像データをダウンロードし、ダウンロードして得た画像データをスライドショー形式で再生する再生装置とを備えている。該電子アルバムシステムによれば、オンライン上で電子アルバムを管理し、閲覧することができる。
【０００３】
また、画像データに対応付けられた楽曲データをバックグラウンドミュージックとして再生し、画像をスライドショー再生する電子アルバムシステムが提案されている。該電子アルバムシステムによれば、電子アルバムシステムの利用者は、より感慨深く写真を閲覧することができる。
【０００４】
一方、各種ジャンル、テーマに基づいて分類された複数の楽曲データを予め記憶しておき、利用者によって選択された楽曲データを再生する際、楽曲データの旋律と調和するタイミングで模範画像を表示し、模範画像の編集を適宜受け付ける電子アルバム作成装置が提案されている（例えば、特許文献１）。
特許文献１によれば、楽曲の旋律に調和したタイミングで画像が挿入されたＢＧＭ付きの電子アルバムを容易に編集することができる。
【特許文献１】特開２００３−１１６０９４号公報
【発明の開示】
【発明が解決しようとする課題】
【０００５】
しかしながら、従来の電子アルバムシステムにおいては、利用者が自ら画像データに適した楽曲を選択し、楽曲データを用意し、更に楽曲データと画像データとを対応付ける必要があり、楽曲付きのアルバム編集に手間を要するという問題があった。
特許文献１においても、画像のジャンル、テーマに基づいて、該画像に調和した楽曲を選択する編集作業が必要であり、手間を要する。
【０００６】
本発明は斯かる事情に鑑みてなされたものであり、電子アルバム作成装置が、画像データの属性情報に基づいて選曲し、選曲された楽曲の楽曲データを再生装置に提供するように構成することにより、画像に調和した楽曲の選択、楽曲データの入手といったアルバム編集の手間を省き、自動的に楽曲付き電子アルバムを作成することができる電子アルバムシステム及び電子アルバム作成方法を提供することを目的とする。
【０００７】
本発明の他の目的は、電子アルバム作成装置が、再生装置から送信された画像データ及び画像属性情報を受信し、受信した画像データ及び画像属性情報を記憶するように構成することにより、再生装置を用いて画像データ及び画像属性情報を電子アルバム作成装置に送信するのみで、自動的に楽曲付き電子アルバムを作成することができる電子アルバムシステムを提供することにある。
【０００８】
本発明の他の目的は、電子アルバム作成装置が、再生装置から送信された画像ファイル、例えばデジタルカメラで撮像して得たＥｘｉｆ（Exchangeable image file）形式のファイルから画像属性情報を抽出し、記憶するように構成することにより、画像属性情報を用意して送信する手間を省き、自動的に楽曲付き電子アルバムを作成することができる電子アルバムシステムを提供することにある。
【０００９】
本発明の他の目的は、時間の情報を含む画像属性情報及び楽曲属性情報に基づいて楽曲を選択するように構成することにより、時間軸上で関連する画像データ及び楽曲データの並行的な再生が可能な感慨深い楽曲付き電子アルバムを自動的に作成することができる電子アルバムシステムを提供することにある。
【００１０】
本発明の他の目的は、画像の撮影時を示す情報を含む画像属性情報と、楽曲の流行時期を示す情報を含む楽曲属性情報とに基づいて楽曲を選択するように構成することにより、画像データと、該画像データの撮影時に流行した楽曲の楽曲データとの並行的な再生が可能な感慨深い楽曲付き電子アルバムを自動的に作成することができる電子アルバムシステムを提供することにある。
【００１１】
本発明の他の目的は、時間情報に基づいて画像データを検索し、検索された画像データ及び該画像データに関連する楽曲データを時系列順に再生するように構成することにより、時間軸に沿った視覚的記憶及び聴覚的記憶を利用者に想起させ得る感慨深い楽曲付き電子アルバムを自動的に作成することができる電子アルバムシステムを提供することにある。
【００１２】
本発明の他の目的は、電子アルバム作成装置が、使用者の誕生時情報を記憶しておき、再生装置から送信された使用者の年齢情報、前記誕生時情報及び楽曲属性情報に基づいて楽曲データを選択するように構成することにより、使用者が年齢で時間を指定することによって、使用者がある年齢であった時と時間軸上で関連する楽曲データ、例えば使用者がある年齢であった時に流行した楽曲データの再生が可能な感慨深い楽曲付き電子アルバムを自動的に作成することができる電子アルバムシステムを提供することにある。
【００１３】
本発明の他の目的は、楽曲データを複数再生する場合、各楽曲データを所定時間以上再生するように構成することにより、楽曲再生による追想が頻繁に中断されることを防止することができる電子アルバムシステムを提供することにある。
【００１４】
本発明の他の目的は、画像データに関連する複数の楽曲データが選択された場合、利用者の操作に応じて再生装置が一又は複数の楽曲データを選択して再生するように構成することにより、利用者にとって想い出深い楽曲データを選択し、選択された楽曲データと共に画像データを再生することができる電子アルバムシステムを提供することにある。
【課題を解決するための手段】
【００１５】
本発明に係る電子アルバムシステムは、写真の画像データを記憶する記憶装置から特定の画像データを検索し、検索された画像データを編集し、編集して得たデータを送信する電子アルバム作成装置と、該電子アルバム作成装置から送信されたデータを受信し、再生する再生装置とを備える電子アルバムシステムであって、前記再生装置は、画像データを検索するための時間情報を送信する手段と、使用者の年齢を示す年齢情報を送信する手段とを備え、前記電子アルバム作成装置は、画像データ並びに該画像データの撮影時及び撮影地点を示す情報を含む画像属性情報を記憶する画像記憶手段と、楽曲データ並びに該楽曲データの時間の情報及び該楽曲データに関連する位置を示す情報を含む楽曲属性情報を記憶する楽曲記憶手段と、使用者の誕生時を示す誕生時情報を記憶する手段と、前記再生装置から送信された時間情報を受信する手段と、前記再生装置から送信された年齢情報を受信する手段と、受信した時間情報に基づいて、特定の画像データを検索する手段と、受信した年齢情報、前記誕生時情報、前記画像属性情報及び前記楽曲属性情報に基づいて、前記特定の画像データに関連する楽曲データを選択する選択手段と、前記特定の画像データ及び前記選択手段が選択した楽曲データを、画像データの時系列順に送信する送信手段とを備え、前記再生装置は、前記送信手段が送信した画像データ及び楽曲データを受信する受信手段と、使用者の年齢情報に基づく年齢幅の始点を示す年齢幅始点表示線及び該年齢幅の終点を示す年齢幅終点表示線、並びに前記受信手段が受信した画像データ及び楽曲データを並行的に再生する再生手段と、画像データ及び楽曲データを並行的に再生している場合、前記年齢幅始点表示線及び年齢幅終点表示線の移動操作によって、楽曲データの選択に用いた年齢の始点及び終点の変更を受け付ける手段と、受け付けた年齢幅を示す年齢情報を前記電子アルバム作成装置へ送信する手段とを備え、更に、前記電子アルバム作成装置は、前記再生装置から送信された年齢情報を受信する手段を備え、前記選択手段は、受信した年齢情報、前記誕生時情報及び楽曲属性情報に基づいて、変更された年齢幅に関連する楽曲データを選択するようにしてあることを特徴とする。
【００１６】
本発明に係る電子アルバムシステムは、前記再生装置は、画像データ及び該画像データの画像属性情報を送信する手段を備え、前記電子アルバム作成装置は、前記再生装置から送信された画像データ及び画像属性情報を受信する手段を備え、前記画像記憶手段は、受信した画像データ及び画像属性情報を記憶するようにしてあることを特徴とする。
【００１７】
本発明に係る電子アルバムシステムは、前記再生装置は、画像データ及び画像属性情報を含む画像ファイルを送信する手段を備え、前記電子アルバム作成装置は、前記再生装置から送信された画像ファイルを受信する手段と、受信した画像ファイルから画像属性情報を抽出する手段とを備え、前記画像記憶手段は、抽出された画像属性情報を記憶するようにしてあることを特徴とする。
【００１９】
本発明に係る電子アルバムシステムは、前記楽曲属性情報は、楽曲データの流行時期を示す情報を含むことを特徴とする。
【００２５】
本発明に係る電子アルバム作成方法は、写真の画像データを記憶する記憶装置から特定の画像データを検索し、検索された画像データを編集し、編集して得たデータを送信する電子アルバム作成装置と、該電子アルバム作成装置から送信されたデータを受信し、再生する再生装置とを用いた電子アルバム作成方法であって、前記再生装置は、画像データを検索するための時間情報及び使用者の年齢を示す年齢情報を送信し、前記電子アルバム作成装置は、画像データ並びに該画像データの撮影時及び撮影地点を示す情報を含む画像属性情報を記憶する画像記憶手段と、楽曲データ並びに該楽曲データの時間の情報及び該楽曲データに関連する位置を示す情報を含む楽曲属性情報を記憶する楽曲記憶手段と、使用者の誕生時を示す誕生時情報を記憶する手段とを用意し、前記再生装置から送信された時間情報及び年齢情報を受信し、受信した時間情報に基づいて、特定の画像データを検索し、受信した年齢情報、前記誕生時情報、前記画像属性情報及び前記楽曲属性情報に基づいて、前記特定の画像データに関連する楽曲データを選択し、前記特定の画像データ及び選択された楽曲データを、画像データの時系列順に送信し、前記再生装置は、送信された画像データ及び楽曲データを受信し、使用者の年齢情報に基づく年齢幅の始点を示す年齢幅始点表示線及び該年齢幅の終点を示す年齢幅終点表示線、並びに前記受信手段が受信した画像データ及び楽曲データを並行的に再生し、画像データ及び楽曲データを並行的に再生している場合、前記年齢幅始点表示線及び年齢幅終点表示線の移動操作によって、楽曲データの選択に用いた年齢の始点及び終点の変更を受け付け、受け付けた年齢幅を示す年齢情報を前記電子アルバム作成装置へ送信し、前記電子アルバム作成装置は、前記再生装置から送信された年齢情報を受信し、受信した年齢情報、前記誕生時情報及び楽曲属性情報に基づいて、変更された年齢幅に関連する楽曲データを選択することを特徴とする。
【００２７】
本発明にあっては、電子アルバム作成装置の選択手段が、画像データの属性を示す画像属性情報と、楽曲データの属性を示す楽曲属性情報とに基づいて、特定の画像データに関連する楽曲データを選択し、送信手段が選択された画像データ及び楽曲データを再生装置に送信する。
再生装置の受信手段は、電子アルバム作成装置から送信された画像データ及び楽曲データを受信し、再生手段が該画像データ及び楽曲データを並行的に再生する。
従って、利用者が画像に調和した楽曲を選択し、楽曲データを入手し、画像データと楽曲データとを関連付けるといった楽曲に係るアルバム編集の手間を省くことができる。
なお、楽曲データは、歌詞の有無は問わず、声楽曲、器楽曲、自然界で発生する音、電子音、その他の音のデータを含む。
【００２８】
本発明にあっては、再生装置が画像データ及び画像属性情報を電子アルバム作成装置に送信し、電子アルバム作成装置は再生装置から送信された画像データ及び画像属性情報を受信し、受信した画像データ及び楽曲データを記憶する。
従って、再生装置から画像データ及び画像属性情報を電子アルバム作成装置に送信するのみで、電子アルバム作成装置は、該画像データに関連した楽曲データを選択、つまり楽曲付き電子アルバムの編集が可能になり、前記画像データ及び楽曲データを再生装置に送信することができる。
【００２９】
本発明にあっては、再生装置が画像データ及び画像属性情報を含む画像ファイル、例えばデジタルカメラで撮像して得たＥｘｉｆ形式のファイルを電子アルバム作成装置に送信し、電子アルバム作成装置は再生装置から送信された画像ファイルを受信し、受信した画像ファイルから画像属性情報を受信し、記憶する。
従って、再生装置から画像ファイルを電子アルバム作成装置に送信するのみで、電子アルバム作成装置は、画像ファイルに含まれる画像データに関連した楽曲データを選択、つまり楽曲付き電子アルバムの編集が可能になり、前記画像データ及び楽曲データを再生装置に送信することができる。
【００３０】
本発明にあっては、画像属性情報及び楽曲属性情報は時間の情報を含む。このため、選択手段は、画像データと時間軸上で関連する楽曲データを選択する。
従って、再生装置は、時間軸上で関連する画像データ及び楽曲データを並行的に再生することができる。
【００３１】
本発明にあっては、画像属性情報は、画像データの撮影時を示す情報を含み、楽曲属性情報は、楽曲データの流行時期を示す情報を含む。
従って、再生装置は、画像データと、該画像データの撮影時に流行した楽曲データとを並行的に再生することができる。
【００３２】
本発明にあっては、再生装置は画像データを検索するための時間情報を電子アルバム作成装置に送信する。電子アルバム作成装置は、再生装置から送信された時間情報を受信し、受信した時間情報に基づいて特定の画像データを検索する。選択手段は、上述のように該画像データと時間軸上で関連する楽曲データを選択し、送信手段は該画像データ及び楽曲データを再生装置に送信する。再生装置は、送信された画像データを時系列順に再生する。
従って、再生装置は、時間的に関連する画像データ及び楽曲データを時間軸に沿って再生することができる。
【００３３】
本発明にあっては、再生装置が使用者の過去又は現在の年齢を示す年齢情報を送信する。電子アルバム作成装置は、前記使用者の誕生時を示す誕生時情報を記憶しており、再生装置から送信された年齢情報を受信し、受信した年齢情報と、誕生時情報と、楽曲属性情報とに基づいて、使用者がある年齢であった時と関連がある楽曲データを選択する。
より詳細には、使用者の年齢は該使用者の誕生時を基準とした相対的な時間であるが、電子アルバム作成装置は前記使用者の誕生時情報を記憶しているため、再生装置から送信された年齢情報と、前記誕生時情報とに基づいて、使用者の誕生時に依拠しない時間情報を得ることができ、該時間情報と楽曲属性情報とに基づいて、使用者のある年齢時に関連した楽曲データを選択することが可能になる。
従って、使用者にとって感覚的に認識できる年齢情報を再生装置から電子アルバム作成装置に送信するだけで、電子アルバム作成装置はその年齢当時に関連する楽曲データを選択し、再生装置は、前記楽曲データを再生することができる。
【００３４】
本発明にあっては、再生装置が複数の画像データ及び楽曲データを再生する場合、各楽曲データを所定時間以上再生する。
従って、所定時間以内で楽曲データの再生が中断されることはない。
【００３５】
本発明にあっては、電子アルバム作成装置の選択手段が複数の楽曲データを選択した場合、各楽曲データを識別するための複数の楽曲識別情報を再生装置に送信する。再生装置は、電子アルバム作成装置から送信された楽曲識別情報を受信し、複数の楽曲識別情報から一又は複数の楽曲識別情報を選択し、選択された楽曲識別情報で特定される楽曲データを再生する。
従って、画像データに関連する楽曲データから、特に利用者にとって感慨深い楽曲データを選択し、該楽曲データと前記画像データとを並行的に再生することができる。
【発明の効果】
【００３６】
本発明によれば、画像に調和した楽曲の選択、楽曲データの入手といったアルバム編集の手間を省き、自動的に楽曲付き電子アルバムを作成することができる。
【００３７】
本発明によれば、再生装置を用いて画像データ及び画像属性情報を電子アルバム作成装置に送信するのみで、自動的に楽曲付き電子アルバムを作成することができる。
【００３８】
本発明によれば、画像属性情報を用意して送信する手間を省き、自動的に楽曲付き電子アルバムを作成することができる。
【００３９】
本発明によれば、時間軸上で関連する画像データ及び楽曲データの並行的な再生が可能な感慨深い楽曲付き電子アルバムを自動的に作成することができる。
【００４０】
本発明によれば、画像データと、該画像データの撮影時に流行した楽曲の楽曲データとの並行的な再生が可能な感慨深い楽曲付き電子アルバムを自動的に作成することができる。
【００４１】
本発明によれば、時間軸に沿った視覚的記憶及び聴覚的記憶を利用者に想起させ得る感慨深い楽曲付き電子アルバムを自動的に作成することができる。
【００４２】
本発明によれば、使用者が年齢で時間を指定することによって、使用者がある年齢であった時と時間軸上で関連する楽曲データ、例えば使用者がある年齢であった時に流行した楽曲データの再生が可能な感慨深い楽曲付き電子アルバムを自動的に作成することができる。
【００４３】
本発明によれば、楽曲再生による追想が頻繁に中断されることを防止することができる。
【００４４】
本発明によれば、利用者にとって想い出深い楽曲データを選択し、選択された楽曲データと共に画像データを再生することができる。
【発明を実施するための最良の形態】
【００４５】
以下、本発明をその実施の形態を示す図面に基づいて詳述する。
（実施の形態１）
図１は、本発明に係る電子アルバムシステムの構成を示す模式図である。本発明の実施の形態１に係る電子アルバムシステムは、電子アルバム作成装置１と、通信網Ｎを介して電子アルバム作成装置１に接続された複数の再生装置２とを備えている。該電子アルバムシステムは、アルバム編集の手間を省き、ユーザが手軽に楽曲付き電子アルバムの閲覧を楽しむことができるシステムである。
【００４６】
図２は、本発明に係る電子アルバム作成装置１の構成を示すブロック図である。電子アルバム作成装置１は、装置全体を制御するＣＰＵ（Central Processing Unit）１１を備えたコンピュータである。ＣＰＵ１１には、コンピュータの動作に必要な制御プログラムを記憶したＲＯＭ１２、一時記憶用のＲＡＭ１３、通信部１４、インタフェース部１５、記憶部１６、及び補助記憶部１７がバス１０を介して接続されている。
【００４７】
ＲＯＭ１２は、コンピュータの動作に必要な制御プログラムを記憶したマスクＲＯＭ、ＥＥＰＲＯＭ等の不揮発性メモリである。
ＲＡＭ１３は、ＣＰＵ１１の演算処理を実行する際に生ずる各種データを一時記憶するＤＲＡＭ、ＳＲＡＭ等の揮発性メモリである。
補助記憶部１７は、本発明の実施の形態１に係るコンピュータプログラム４をコンピュータ読み取り可能に記録したＣＤ−ＲＯＭ、ＤＶＤ−ＲＯＭ等の記録媒体３から情報を読み取る光ディスクドライブである。
記憶部１６は、例えばハードディスクであり、補助記憶部１７が記録媒体３から読み取ったコンピュータプログラム４を記録する。
【００４８】
ＣＰＵ１１は、記憶部１６に記録されたコンピュータプログラム４をＲＡＭ１３に読み出して実行することにより、本発明に係る後述の電子アルバム作成方法を実施し、電子アルバム作成装置１として動作する。
【００４９】
通信部１４は、ＣＰＵ１１が電子アルバム作成処理を実行する際、再送装置との間で写真の画像データ、楽曲データ等の電子アルバムに係るデータを送受信する。
【００５０】
インタフェース部１５は、ＣＰＵ１１が電子アルバム作成処理を実行する際、記憶装置１８に蓄積された各種データベースにアクセスし、画像データ、楽曲データ等を取得する。
【００５１】
記憶装置１８は、画像データベース１８ａ（画像記憶手段）、楽曲データベース１８ｂ（楽曲記憶手段）、ヒット曲データベース１８ｃ（楽曲記憶手段）を備えており、ＣＰＵ１１は、例えばＳＱＬ（Structured Query Language）を用いて、画像データ、楽曲データ、その他のデータの記憶、検索等の処理を実行する。
画像データベース１８ａは、ユーザ側の再生装置２から電子アルバム作成装置１に送信された写真の画像データを蓄積している。楽曲データベース１８ｂは、楽曲付きの電子アルバムの素材としての楽曲データを蓄積し、ヒット曲データベース１８ｃは、画像データに調和した楽曲を選曲するための情報を蓄積している。
【００５２】
図３は、画像データベース１８ａの一例を概念的に示す説明図である。画像データベース１８ａの表（ファイル）は、複数の列（フィールド）、例えば「画像ＩＤ」、「画像データ」、「ユーザＩＤ」「写真タイトル」、「カテゴリ」、「タグ」、「撮影年月日」、「メモ」、「公開可否」から構成されており、各行（レコード）は、各列に格納された情報を有する。
【００５３】
「画像データ」列は、複数の画像データを格納しており、「画像ＩＤ」列は、各画像データに固有の画像識別情報、例えば数値又は文字を画像データに対応付けて格納している。なお、画像データは、Ｆｌａｓｈ（登録商標）を用いたフォトビューワーにて再生することができるＦｌａｓｈファイル又はＪｐｅｇ形式のファイルである。
また、「ユーザＩＤ」列は該画像データの登録者に固有の数値又は文字、「写真タイトル」列は画像データのタイトル、「カテゴリ」列は例えば家族、友人等の分類、「タグ」列は、ユーザが画像の特徴に応じて任意に決定したキーワード、「撮影年月日」列は該画像データの撮影年月日（撮影時）、「メモ」列はユーザのメモ、「公開の可否」列は該画像データの一般公開を許可するか否かを示すデータを格納する。
【００５４】
行は各列に格納された情報、例えば、最上段のレコードは、各列に格納された「１」、「画像データ１」、「ユーザＩＤ○○」、「○○旅行」、「家族」、「元気」、「２００７／５／５」、「○○○」、「不可」の情報を有する。
【００５５】
図４は、楽曲データベース１８ｂを概念的に示す説明図である。楽曲データベース１８ｂの表は、複数の列、例えば「楽曲ＩＤ」、「楽曲データ」、「楽曲タイトル」、「歌手」、「ジャンル」から構成されており、各行は、各列に格納された情報を有する。
【００５６】
「楽曲データ」列は、複数の楽曲データ本体を格納しており、「楽曲ＩＤ」列は、各楽曲データに固有の楽曲識別情報、例えば数値を対応付けて格納している。楽曲データは、例えばＦｌａｓｈフォーマットのデータであり、再生時間が約１分になるように編集されている。
その他、「楽曲タイトル」列は、該楽曲データのタイトル、「歌手」列は、該楽曲データを歌唱する人物名、「ジャンル」列は、例えばＪ−ＰＯＰ、洋楽、アニメ等の分類を格納する。
【００５７】
図５は、ヒット曲データベース１８ｃを概念的に示す説明図である。ヒット曲データベース１８ｃの表は、「年」列と、「月」列と、当該時期に流行した楽曲を示す「楽曲ＩＤ」列とから構成されており、各行は、各列に格納された情報を有する。
【００５８】
「年」列は楽曲の流行時期の西暦（楽曲属性情報）、「月」列は流行時期の月（楽曲属性情報）、「楽曲ＩＤ」は当該年、月に流行した楽曲に固有の楽曲ＩＤを格納する。
【００５９】
図６は、再生装置２の構成を示すブロック図である。再生装置２は、例えばＣＰＵ２１
を備えたパーソナルコンピュータである。ＣＰＵ２１には、ＲＯＭ２２、ＲＡＭ２３、記憶部２４、通信部２５、入力部２６、表示部２７、インタフェース部２８、スピーカ２９がバス２０を介して接続されている。
【００６０】
ＲＯＭ２２は、コンピュータの動作に必要な制御プログラムを記憶した不揮発性メモリであり、ＲＡＭ２３は、ＣＰＵ２１の演算処理を実行する際に生ずる各種データを一時記憶する揮発性メモリである。
記憶部２４は、Ｆｌａｓｈフォーマットの画像データ及び楽曲データを再生するためのフォトビューワー、ブラウザ、その他各種ソフトウェアを記憶している。
通信部２５は、ＣＰＵ２１が電子アルバムに係る処理を実行する際に、電子アルバム作成装置１との間で写真の画像データ、楽曲データ等の電子アルバムに係るデータを送受信する。
入力部２６は、電子アルバムの閲覧操作を入力するためのキーボード、マウス等の入力装置である。表示部２７は、液晶ディスプレイ、有機ＥＬディスプレイ、ＣＲＴ等の表示装置であり、電子アルバムに係る画像を表示し、スピーカ２９は、電子アルバムに係る楽曲を出力する。
【００６１】
インタフェース部２８は、例えばデジタルカメラのような撮像装置Ａが接続されるＵＳＢコネクタ、フラッシュメモリ、ＳＤカードのような可搬式記録媒体Ｂが装着されるスロットを備え、ＣＰＵ２１は、撮像装置Ａ又は可搬式記録媒体Ｂからインタフェース部２８を介して画像ファイルを読み取る。
【００６２】
ＣＰＵ２１は、記憶部２４が記憶したコンピュータプログラムをＲＡＭ２３に展開して実行することにより、フォトビューワー及びブラウザを動作させる。
フォトビューワーは、電子アルバム作成装置１との間で電子アルバムに係る画像データ及び楽曲データを送受信し、受信した画像データ及び楽曲データを再生し、再生された画像を表示部２７に表示すると共に、再生された楽曲をスピーカ２９で増幅し、出力する。
ブラウザはＨＴＴＰ（Hyper Text Transfer Protocol）により、電子アルバム作成装置１との間で送受信されるＨＴＭＬ（Hyper Text Markup Language）ファイルを解析して表示部２７に表示する。
【００６３】
次に、電子アルバムシステムにおけるユーザ認証処理、写真投稿処理、楽曲付き電子アルバムのスライドショー再生処理を順に説明する。
【００６４】
まず、ユーザ側の再生装置２は、電子アルバム作成装置１にアクセスして、電子アルバムに係るトップページを表示部２７に表示させる。そして、再生装置２は、トップページでユーザＩＤ及びパスワードを受け付け、受け付けたユーザＩＤ及びパスワードを電子アルバム作成装置１に送信する。電子アルバム作成装置１は、送信されたユーザＩＤ及びパスワードを受信し、予め登録されているユーザＩＤ及びパスワードと照合して、ユーザ認証処理を行う。ユーザ認証に成功した場合、電子アルバム作成装置１は、認証されたユーザのみがアクセスできるマイページの情報を再生装置２に送信し、再生装置２は、マイページ画像５０を表示部２７に表示する。
【００６５】
図７は、マイページ画像５０の一例を示す模式図である。マイページ画像５０は、外枠内に横長略矩形のサムネイル表示部５０ａを配してなり、サムネイル表示部５０ａの下側には、各種ボタン、入力フォームが配されている。
サムネイル表示部５０ａの内側には、画像データベース１８ａに蓄積された画像データの内容を示す小画像（以下、サムネイル画像という）が縦横に配列表示される。
【００６６】
サムネイル表示部５０ａの下側に配された「写真を投稿する」ボタン５０ｂは、写真の投稿処理、つまり再生装置２から電子アルバム作成装置１に画像データを送信し、該画像データを画像データベース１８ａに記録する処理を開始させるためのボタンである。
「写真を投稿する」ボタン５０ｂの下側部分には、アルバム検索用の入力フォーム５０ｃ、「検索」ボタン５０ｄ及び「再生」ボタン５０ｅが図中左側から右側にこの順で並置されている。アルバム検索用の入力フォーム５０ｃは、後述するアルバムを検索するための文字入力を受け付ける。「検索」ボタン５０ｄは、該入力フォーム５０ｃに入力された文字に基づいてアルバムの検索を開始するためのボタンである。「再生」ボタン５０ｅは、画像データベース１８ａから検索された画像データのスライドショー再生を開始させるためのボタンである。
「再生」ボタン５０ｅの更に下側には、画像データを検索するための時間を入力するための入力フォーム５０ｆ、画像データを画像属性情報のタグで検索するための入力フォーム５０ｇ、「検索」ボタン５０ｈ、「ログアウト」ボタン５０ｉが図中左側から右側にこの順で並置されている。「検索」ボタン５０ｈは、該入力フォーム５０ｆ，５０ｇに入力された情報に基づいて、画像データの検索処理を実行させるためのボタンである。
【００６７】
次に、写真投稿処理を説明する。
図８及び図９は、写真の投稿に係る処理手順を示すフローチャートである。「写真を投稿する」ボタン５０ｂが操作された場合、再生装置２のＣＰＵ２１は、画像データの選択画面を表示して、写真の投稿を受け付ける（ステップＳ１１）。
【００６８】
図１０は、写真画像データの選択画面５１の一例を示す模式図である。選択画面５１には、再生装置２の記憶部２４が記憶している画像データのファイル名の一覧５１ａが配されており、該一覧５１ａの下側には「選択」ボタン５１ｂが配されている。ユーザは所望の画像データを選択し、「選択」ボタン５１ｂを操作することで、投稿する画像データを選択することができる。
【００６９】
次いで、ＣＰＵ２１は、選択された写真の画像データ及び該画像データの属性を示す画像属性情報を含む画像ファイルを電子アルバム作成装置１に通信部２５を介して送信する（ステップＳ１２）。
【００７０】
図１１は、画像ファイルのデータ構造を概念的に示す説明図である。例えば、Ｅｘｉｆ形式の画像ファイルは、ＳＯＩ（Start Of Image）、Ｅｘｉｆ情報、本体の画像データ，ＥＯＩ（End Of Image）を含む。Ｅｘｉｆ情報には、Ｅｘｉｆヘッダ、画像の撮影年月日、カテゴリ、キーワード、サムネイル画像等のデータが含まれている。
【００７１】
電子アルバム作成装置１のＣＰＵ１１は、再生装置２から送信された画像ファイルを通信部１４を介して受信し（ステップＳ１３）、受信した画像ファイルに含まれる画像データ及び画像属性情報、特に撮影年月日を抽出する（ステップＳ１４）。
【００７２】
そして、ＣＰＵ１１は、画像データに固有の画像ＩＤを付与する（ステップＳ１５）。次いで、ＣＰＵ１１は、画像データに基づいてサムネイル画像データを作成し、画像ＩＤと、サムネイルＵＲＬと、撮影年月日を送信する（ステップＳ１６）。サムネイルＵＲＬは、サムネイル画像データの所在を示す情報である。なお、画像ファイル中にサムネイル画像データが含まれている場合、画像ファイルからサムネイル画像データを抽出すると良い。
【００７３】
再生装置２のＣＰＵ２１は、電子アルバム作成装置１から送信された画像ＩＤ、サムネイルＵＲＬ、撮影年月日を受信する（ステップＳ１７）。そして、再生装置２は、受信したサムネイルＵＲＬを用いてサムネイル画像データを取得する（ステップＳ１８）。次いで、ＣＰＵ２１は、取得したサムネイル画像データに基づいてサムネイル画像を表示し
（ステップＳ１９）、画像属性情報の編集を受け付ける（ステップＳ２０）。
【００７４】
図１２は、画像属性情報の編集画面５２の一例を示す模式図である。画像属性情報の編集画面５２の左側部分には、投稿する画像データの内容を示したサムネイル画像の一覧５２ａが縦横に配列表示されている。
編集画面の右側部分には、画像属性情報を編集するための各種フォーム、リストボックス、ラジオボタンが配されている。具体的には、「写真のタイトル」を編集するための入力フォーム５２ｂ、「カテゴリ」を選択するためのリストボックス５２ｃ、「タグ」を編集するための入力フォーム５２ｄ、「撮影年月日」を編集するための入力フォーム５２ｅ、「メモ」を編集するための入力フォーム５２ｆ、公開の可否を選択するためのラジオボタン５２ｇ、「確認」ボタン５２ｈ等が縦方向に配されている。編集前においては、画像ファイルから抽出された画像属性情報が表示されている。なお、撮影年月日等が不明である場合、画像ファイルの作成年月日を撮影年月日として推定表示するようにすると良い。
【００７５】
ステップＳ２０の処理を終えた場合、ＣＰＵ２１は、画像ＩＤと、編集された画像属性情報を電子アルバム作成装置１に送信し（ステップＳ２１）、電子アルバム作成装置１のＣＰＵ１１は、再生装置２から送信された画像ＩＤと、画像属性情報を受信し（ステップＳ２２）、受信した画像ＩＤ、画像属性情報、及び画像データを関連付けて記憶装置１８の画像データベース１８ａに記憶させる（ステップＳ２３）。そして、ＣＰＵ１１は、投稿の処理結果を再生装置２に送信する（ステップＳ２４）。
【００７６】
再生装置２のＣＰＵ２１は、電子アルバム作成装置１から送信された投稿の処理結果を受信し（ステップＳ２５）、処理結果を表示する（ステップＳ２６）。例えば、正常に画像データが記録された場合、写真の投稿に成功した旨が表示部２７に表示される。また、タイトルの文字数が規定数以上であるような場合、表示部２７に投稿に失敗した旨が表示される。
【００７７】
そして、ＣＰＵ２１は、入力部２６の操作状態を検出し、続けて写真投稿処理を実行するか否かを判定する（ステップＳ２７）。続けて写真投稿処理を実行すると判定した場合（ステップＳ２７：ＹＥＳ）、再生装置２は処理をステップＳ１１に戻す。続けて写真投稿処理を実行しないと判定した場合（ステップＳ２７：ＮＯ）、再生装置２は、マイページ画像５０を表示し（ステップＳ２８）、写真投稿に係る処理を終える。
【００７８】
次に、楽曲付き電子アルバムのスライドショー再生処理を説明する。
図１３乃至図１５は、楽曲付き電子アルバムのスライドショー再生に係る処理手順を示すフローチャートである。まず、再生装置２のＣＰＵ２１は、検索条件を受け付け（ステップＳ５１）、受け付けた検索条件を電子アルバム作成装置１に送信する（ステップＳ５２）。検索条件は、画像属性情報の一部であり、実施の形態１では撮影年月日、タグを検索条件として受け付ける。
ユーザは、スライドショー再生を所望する写真の撮影年月日を図７に示す入力フォーム５０ｆに入力し、キーワードのタグを入力フォーム５０ｇに入力し、「検索」ボタン５０ｈを操作することにより、検索条件を入力することができる。ＣＰＵ２１は、「検索」ボタン５０ｈが操作された場合、各入力フォーム５０ｆ，５０ｇに入力された検索条件を受け付ける。
【００７９】
電子アルバム作成装置１のＣＰＵ１１は、再生装置２から送信された検索条件を受信し（ステップＳ５３）、受信した検索条件、つまり画像属性情報に基づいて画像データベース１８ａから画像データを検索する（ステップＳ５４）。そして、ＣＰＵ１１は、検索された画像データの画像属性情報、特に撮影年月日に基づいて、撮影年月日と流行時期とが合致する楽曲データを楽曲データベース１８ｂから検索する（ステップＳ５５）。なお、
ステップＳ５５を実行するＣＰＵ１１は、画像データの画像属性情報と、楽曲データの楽曲属性情報とに基づいて、楽曲を選択する選択手段として機能する。そして、ＣＰＵ１１は、検索された画像データのサムネイルＵＲＬと、画像データの所在を示す画像ＵＲＬと、画像属性情報と、楽曲リストとを再生装置２に送信する（ステップＳ５６）。楽曲リストは、ステップＳ５５で検索された各楽曲を特定するための楽曲ＩＤを含む情報である。
【００８０】
再生装置２のＣＰＵ２１は、電子アルバム作成装置１から送信されたサムネイルＵＲＬと、画像ＵＲＬと画像属性情報と、楽曲リストとを受信する（ステップＳ５７）。そして、ＣＰＵ２１は、受信したサムネイルＵＲＬに基づいてサムネイル画像データを取得し（ステップＳ５８）、取得したサムネイル画像データに基づいて、サムネイル画像をマイページに一覧表示する（ステップＳ５９）。
【００８１】
図１６は、検索された画像のサムネイル画像一覧を含むマイページ画像５０の一例の模式図である。マイページ画像５０のサムネイル表示部５０ａには、検索された画像のサムネイル画像が一覧表示されている。また、「写真を投稿する」ボタン５０ｂの横側に、「アルバムに追加」するボタン５０ｊが配されている。「アルバムに追加」するボタン５０ｊが操作された場合、ステップＳ５１で受け付けた検索条件がアルバムとして保存される。検索結果は画像データベース１８ａが記憶している画像データによって日々変化するため、検索条件はいわば動的なアルバムと観念することができる。以後、保存されたアルバムを用いることによって、前記検索条件を入力することなく、同一検索条件にて画像データを検索することができる。
【００８２】
次いで、ＣＰＵ２１は、楽曲ＩＤを順次繰り返し送信し（ステップＳ６０）、電子アルバム作成装置１のＣＰＵ１１は、再生装置２から送信された楽曲ＩＤを受信し（ステップＳ６１）、受信した楽曲ＩＤにて特定される楽曲データを再生装置２に送信する（ステップＳ６２）。
【００８３】
再生装置２のＣＰＵ２１は、電子アルバム作成装置１から送信された楽曲データを受信（ステップＳ６３）、受信した楽曲データを再生する（ステップＳ６４）。次いで、ＣＰＵ２１は、楽曲データを所定時間以上再生したか否かを判定する（ステップＳ６５）。所定時間以上再生したと判定した場合（ステップＳ６５：ＹＥＳ）、ＣＰＵ２１は、処理をステップＳ６０に戻す。所定時間未満であると判定した場合（ステップＳ６５：ＮＯ）、ＣＰＵ２１は、入力部２６の操作状態を検出することによりスライドショーを再生するか否かを判定する（ステップＳ６６）。スライドショーを再生しないと判定した場合（ステップＳ６６：ＮＯ）、ＣＰＵ２１は処理をステップＳ６３に戻す。
【００８４】
スライドショーの再生を受け付けた場合（ステップＳ６６：ＹＥＳ）、ＣＰＵ２１は、ステップＳ５７で受信した画像ＵＲＬと、画像属性情報、特に撮影年月日を順次電子アルバム作成装置１に送信する（ステップＳ６７）。
【００８５】
電子アルバム作成装置１のＣＰＵ１１は、再生装置２から送信された画像ＵＲＬと、画像属性情報とを受信し（ステップＳ６８）、受信した画像属性情報に基づいて、特に撮影年月日と、ヒット曲データベース１８ｃとに基づいて、撮影年月日と流行時期とが関連する楽曲データを楽曲データベース１８ｂから検索する（ステップＳ６９）。
【００８６】
次いで、ＣＰＵ１１は、画像ＵＲＬで指定された画像データと、ステップＳ６９で検索された各楽曲を特定するための楽曲ＩＤを含む楽曲リストを再生装置２に送信する（ステップＳ７０）。
【００８７】
再生装置２のＣＰＵ２１は、電子アルバム作成装置１から送信された画像データと楽曲
リストとを受信し（ステップＳ７１）、受信した画像データを再生して、該画像データに係る画像を表示部２７に表示する（ステップＳ７２）。
【００８８】
図１７は、スライドショー再生画像５３の一例を示す模式図である。スライドショー再生画像５３は、中心部より右側部分に、スライドショー再生された画像を配し、左側部分には渦巻き螺旋状に並置されたサムネイル画像が配されている。各サムネイル画像は、撮影年月日の時系列順に並置されており、渦巻きの中心部に配置されたサムネイル画像ほど撮影年月日が古く、またサムネイル画像の寸法も小さく表示されている。
スライドショー再生された画像の上側部分には、該画像の撮影年月日が「０７  １０／２５」のように表示されている。また、撮影年月日の右側には撮影時を示すアナログ時計が表示されている。また、スライドショー再生画像５３の横方向略中央部の下側部分には、撮影年月を示す円グラフ状の時計が表示されている。
なお、スライドショー再生画像５３は、一例であり画像を全画面表示するように構成しても良い。
【００８９】
次いで、ＣＰＵ２１は、楽曲ＩＤを電子アルバム作成装置１に順次繰り返し送信する（ステップＳ７３）。
【００９０】
電子アルバム作成装置１は、再生装置２から送信された楽曲ＩＤを受信し（ステップＳ７４）、受信した楽曲ＩＤに基づいて楽曲データベース１８ｂから楽曲データを検索し、該楽曲データを再生装置２に送信する（ステップＳ７５）。
【００９１】
再生装置２のＣＰＵ２１は、電子アルバム作成装置１から送信された楽曲データを受信し（ステップＳ７６）、受信した楽曲データを再生する（ステップＳ７７）。
【００９２】
次いで、ＣＰＵ２１は、楽曲データを所定時間以上再生したか否かを判定する（ステップＳ７８）。所定時間以上再生したと判定した場合（ステップＳ７８：ＹＥＳ）、ＣＰＵ２１は、処理をステップＳ７３に戻す。
【００９３】
所定時間未満であると判定した場合（ステップＳ７８：ＮＯ）、ＣＰＵ２１は、次の画像を表示するか否かを判定する（ステップＳ７９）。例えば、前回の画像を表示してから一定時間が経過している場合、次の画像を表示すると判定する。次の画像を表示すると判定した場合（ステップＳ７９：ＹＥＳ）、ＣＰＵ２１は、処理をステップＳ６７に戻す。次の画像を表示しないと判定した場合（ステップＳ７９：ＮＯ）、ＣＰＵ２１は、再生を終了するか否かを判定する（ステップＳ８０）。
【００９４】
再生を終了しないと判定した場合（ステップＳ８０：ＮＯ）、ＣＰＵ２１は、処理をステップＳ７６に戻す。再生を終了すると判定した場合（ステップＳ７８：ＹＥＳ）、ＣＰＵ２１は、楽曲付き電子アルバムのスライドショー再生に係る処理を終える。
【００９５】
このように構成された電子アルバムシステム、電子アルバム作成装置１、電子アルバム作成方法及びコンピュータプログラムにあっては、画像に調和した楽曲の選択、楽曲データの入手といったアルバム編集の手間を省くことができ、写真の画像データを再生装置２から電子アルバム作成装置１に送信するのみで、楽曲付き電子アルバムを自動的に作成することができる。
【００９６】
また、画像属性情報を含む画像ファイルを再生装置２から電子アルバム作成装置１に送信するのみで、楽曲付き電子アルバムを作成することができる電子アルバムシステムを提供することにある。
【００９７】
更に、画像データと、該画像データの撮影時に流行した楽曲の楽曲データとの並行的な再生が可能な感慨深い楽曲付き電子アルバムを自動的に作成することができる。
【００９８】
更にまた、時間軸に沿った視覚的記憶及び聴覚的記憶をユーザに想起させ得る感慨深い楽曲付き電子アルバムを自動的に作成することができる。
【００９９】
更にまた、楽曲による追想が頻繁に中断されることを防止することができる電子アルバムを自動的に作成することができる。
【０１００】
なお、実施の形態１にあっては、記憶装置を備えた１台のコンピュータにて電子アルバム作成装置を構成してあるが、電子アルバム作成装置と記憶装置とを別体で構成しても良い。また、言うまでもなく複数のサーバにて電子アルバム作成装置を構成しても良い。
【０１０１】
また、再生装置として非可搬式のパーソナルコンピュータを説明したが、画像データ及び楽曲データを送受信し、再生することができる機器であれば、他の通信装置にて再生装置を構成しても良い。例えば、可搬式の携帯電話機、ＰＤＡ、ゲーム機器等の携帯端末機、又は非可搬式のテレビ、ゲーム機器等で構成しても良い。
【０１０２】
更に、楽曲データは、音に係るデータであればその内容は問わず、声楽曲、器楽曲、自然音、その他の音のデータであっても良い。
【０１０３】
更にまた、画像データに関連する楽曲データを時間の画像属性情報に基づいて選択するように構成されているが、他の画像属性情報、例えばジャンル、タグ等によって、関連する楽曲データを選択するように構成しても良い。
【０１０４】
更にまた、本発明の考え方を１枚の画像データに関連する楽曲データを選択する各種装置、システムに適用しても良い。
例えば、再生装置と、楽曲データ提供装置とを備えたシステムにおいて、１枚の写真の画像データを記憶する手段と、該画像データの属性を示す画像属性情報を送信する手段とを再生装置に備え、再生装置から送信された画像属性情報を受信する手段と、楽曲データ及び該楽曲データの属性を示す楽曲属性情報を記憶する楽曲記憶手段と、受信した画像属性情報及び前記楽曲属性情報に基づいて、前記再生装置が記憶している画像データに関連する楽曲データを選択する選択手段と、該選択手段が選択した楽曲データを送信する送信手段とを楽曲データ提供装置に備えるように構成しても良い。
【０１０５】
（実施の形態２）
実施の形態２に係る電子アルバムシステムは、実施の形態１と同様の構成であり、処理手順のみが異なるため、以下では主に上記相違点を説明する。
【０１０６】
図１８及び図１９は、実施の形態２における楽曲付き電子アルバムのスライドショー再生に係る処理手順を示すフローチャートである。
再生装置２及び電子アルバム作成装置１のＣＰＵ２１，１１は、実施の形態１におけるステップＳ５１〜ステップＳ５９と同様の画像検索処理をステップＳ２５１〜ステップＳ２５９で実行する。
【０１０７】
ステップＳ２５９の処理を終えた場合、ＣＰＵ２１は、電子アルバム作成装置１から送信された楽曲リストを表示部２７に表示させ（ステップＳ２６０）、ユーザによって選択された一又は複数の楽曲を受け付ける（ステップＳ２６１）。次いで、ＣＰＵ２１は、選択された楽曲を識別する楽曲ＩＤを順次繰り返し送信する（ステップＳ２６２）。
【０１０８】
電子アルバム作成装置１のＣＰＵ１１は、再生装置２から送信された楽曲ＩＤを受信し（ステップＳ２６３）、受信した楽曲ＩＤにて特定される楽曲データを再生装置２に送信する（ステップＳ２６４）。
【０１０９】
再生装置２のＣＰＵ２１は、電子アルバム作成装置１から送信された楽曲データを受信（ステップＳ２６５）、受信した楽曲データを再生する（ステップＳ２６６）。次いで、ＣＰＵ２１は、楽曲データを所定時間以上再生したか否かを判定する（ステップＳ２６７）。所定時間以上再生したと判定した場合（ステップＳ２６７：ＹＥＳ）、ＣＰＵ２１は、処理をステップＳ２６２に戻す。所定時間未満であると判定した場合（ステップＳ２６７：ＮＯ）、ＣＰＵ２１は、スライドショーを再生するか否かを判定する（ステップＳ２６８）。スライドショーを再生しないと判定した場合（ステップＳ２６８：ＮＯ）、ＣＰＵ２１は処理をステップＳ２６５に戻す。
【０１１０】
スライドショーの再生を受け付けた場合（ステップＳ２６８：ＹＥＳ）、ＣＰＵ２１は、スライドショー再生を実行し（ステップＳ２６９）、スライドショー再生に係る処理を終える。なお、スライドショー再生に係る処理は実施の形態１と同様である。
【０１１１】
実施の形態２に係る電子アルバムシステムにあっては、ユーザにとって想い出深い楽曲データを選択し、選択された楽曲データと共に画像データを再生することができる。
【０１１２】
実施の形態２に係る電子アルバムシステムの他の構成、作用及び効果は、実施の形態１に係る電子アルバムシステムの構成、作用及び効果と同様であるため、対応する箇所には同様の符号を付してその詳細な説明を省略する。
【０１１３】
（実施の形態３）
図２０は、本発明の実施の形態３に係る電子アルバムシステムの構成を示す模式図である。実施の形態３に係る電子アルバムシステムは、電子アルバム作成装置１と、通信網Ｎを介して電子アルバム作成装置１に無線接続されており、全地球測位システム（GPS:Global Positioning System）を有する携帯電話機２０２とを備えている。実施の形態３に係る電子アルバムシステムは、撮影年月日及び撮影位置に基づいて選曲を行う点が実施の形態１に係る電子アルバムシステムとは異なるため、以下では主に上記相違点について説明する。
【０１１４】
図２１は、携帯電話機２０２の構成を模式的に示すブロック図である。携帯電話機２０２は、ＣＰＵ２２１を備えている。ＣＰＵ２２１には、バス２２０を介して、ＲＯＭ２２２、ＲＡＭ２２３、撮像部２２４、通信部２２５、操作部２２６、表示部２２７、マイク２２８、スピーカ２２９、及びＧＰＳ２３０が接続されている。
【０１１５】
ＲＯＭ２２２は、携帯電話機２０２の動作に必要な制御プログラム、本発明に係るコンピュータプログラム、フォトビューワー、ブラウザ、その他各種ソフトウェアを記憶した不揮発性メモリであり、ＲＡＭ２２３は、ＣＰＵ２２１の演算処理を実行する際に生ずる各種データを一時記憶する揮発性メモリである。
撮像部２２４は、レンズと、該レンズにて結像した像を電気信号に変換するＣＣＤ、ＣＭＯＳ等の撮像素子と、撮像素子にて変換された電気信号をデジタルの画像データにＡＤ変換し、ＡＤ変換された写真の画像データに各種画像処理を施す画像処理部とを備えている。
通信部２２５は、高周波送受信部及びアンテナ等を備え、電子アルバム作成装置１との間で写真の画像データ、楽曲データ、通話に係る音声データを含む各種データを無線で送受信する。
操作部２２６は、通話ボタン、数字キー、電子アルバムの閲覧操作を入力するため各種
ボタンから構成されている。表示部２２７は例えば液晶ディスプレイ等であり、電子アルバム作成装置１から送信された画像データに係る画像を表示する。スピーカ２２９は、電子アルバム作成装置１から送信された楽曲データに係る音声信号、通話に係る音声信号を増幅して出力する。マイク２２８は、外部から入力された音声を音声信号に変換し、変換した電気信号を通信部２２５に与える。
【０１１６】
ＧＰＳ２３０は、ＧＰＳ衛星から送信されたＧＰＳ情報を受信する受信機を備えている。ＧＰＳ情報は、時間情報、該ＧＰＳ衛星の軌道を示す軌道情報等を含み、ＧＰＳ２３０は、受信機が受信した該ＧＰＳ情報に基づいて、携帯電話機２０２の位置を算出する。
【０１１７】
図２２は、実施の形態３における画像データベースの一例を概念的に示す説明図である。画像データベースの表は、実施の形態１と同様の列（フィールド）に加えて、「撮影位置」の列を有しており、各行は、各列に格納された情報を有する。
「撮影位置」列は、各画像データを撮影した位置、つまり撮影地点を示す情報、例えば緯度及び経度、又は京都、東京等の地域名を各画像データに対応付けて格納している。
【０１１８】
また、電子アルバム作成装置１の記憶装置１８は、楽曲と、地球上の位置とを関連付けた楽曲関連位置データベースを記憶している。
【０１１９】
図２３は、楽曲関連位置データベースの一例を概念的に示す説明図である。
楽曲関連位置データベースの表は、複数の列、例えば「楽曲ＩＤ」、及び「楽曲関連位置」の列から構成されており、各行は、各列に格納された情報を有する。
「楽曲ＩＤ」は、記憶装置１８が記憶している各楽曲データに固有の楽曲ＩＤが格納されており、「楽曲関連位置」列は、各楽曲ＩＤに対応する楽曲データに関連する位置（以下、楽曲関連位置という）を示す情報が格納されている。
【０１２０】
実施の形態３に係る電子アルバム作成装置１は、実施の形態１と同様、携帯電話機２０２と画像データ、楽曲データを送受信することで、写真投稿、楽曲付き電子アルバムのスライドショー再生に係る処理を実行する。ただし、本実施の形態３では、画像データの撮影年月日と、楽曲データの流行時期が合致する楽曲データを選択し、更に画像データの撮影位置と、楽曲関連位置とが合致する楽曲データを選択するように構成されている。
【０１２１】
実施の形態３に係る電子アルバムシステムにあっては、画像データと、該画像データの撮影時に流行した楽曲であって、該画像データの撮影位置と関連が深い楽曲の楽曲データとの並行的な再生が可能な感慨深い楽曲付き電子アルバムを自動的に作成することができる。
【０１２２】
（実施の形態４）
実施の形態４に係る電子アルバムシステムは、実施の形態１と同様の構成であり、処理手順のみが異なるため、以下では主に上記相違点を説明する。本実施の形態４に係る電子アルバム作成装置１は、ユーザが流行時期として年齢を指定することによって、指定された年齢当時に流行した楽曲データを再生することができるように構成されている。
【０１２３】
実施の形態４に係る電子アルバム作成装置１の記憶装置１８は、画像データベース１８ａ、楽曲データベース１８ｂ、ヒット曲データベース１８ｃ及びユーザ情報データベースを備えている。
【０１２４】
図２４は、ユーザ情報データベースの一例を概念的に示す説明図である。ユーザ情報データベースの表は、複数列、例えば「ユーザＩＤ」、「パスワード」、「生年月日」から構成されており、各行は各列に格納された情報を有する。
【０１２５】
「ユーザＩＤ」列は、各ユーザに固有のユーザ識別情報を格納しており、「パスワード」列は、各ユーザが本発明に係る電子アルバムシステムを使用するためのパスワードを各ユーザＩＤに対応付けて格納している。また、「生年月日」列は、各ユーザの生年月日を示す誕生時情報を各ユーザＩＤに対応付けて格納している。
ユーザＩＤ、パスワード、及び生年月日等の情報は、ユーザ登録時に電子アルバム作成装置１が記憶装置１８に格納する。より詳細には、再生装置２がユーザＩＤ、パスワード、及び生年月日の情報を受け付け、受け付けた情報を電子アルバム作成装置１に送信し、電子アルバム作成装置１が再生装置２から送信された各情報を受信し、受信した各情報をユーザ情報データベースに登録する。なお、ユーザの生年月日はユーザ登録後に受け付け、ユーザ情報データベースに格納するように構成しても良い。
【０１２６】
図２５は、実施の形態４における画像データベース１８ａの一例を概念的に示す説明図である。画像データベース１８ａのレコード構造は実施の形態１と同様であり、「撮影年月日」列に時間幅を有する撮影年月日が格納されている点が異なる。例えば、画像データベース１８ａは、画像データ１の撮影年月日として３年の時間幅を有する撮影時、「１９９７年４月１日〜２０００年３月３１日」の情報を格納しており、画像データ３の撮影年月日として４年の時間幅を有する撮影時、「２０００年４月１日〜２００４年３月３１日」の情報を格納している。時間幅を有する撮影年月日は、例えば写真の画像データを登録する際に画像属性情報を変更することによって指定される。
【０１２７】
図２６は、実施の形態４におけるスライドショー再生画像５５の一例を示す模式図である。スライドショー再生画像５５の構成は、実施の形態１と同様であり、画像データの撮影時に対応するユーザの年齢を円グラフ状に表示する撮影時年齢表示円５５ａがスライドショー画面の横方向略中央部の下側部分に表示されている点が異なるため、上記相違点について説明する。
【０１２８】
撮影時年齢表示円５５ａの周縁には、年齢を示す目盛が等配されており、時間幅を有する撮影時に対応する年齢がハッチング付きの扇状部分、半円形状部分又は円形状部分で表示されている。例えば、撮影時が２０００年４月１日〜２００４年３月３１日、ユーザの誕生日が１９８２年１月１日の場合、図２６（ａ）に示すように、１８才〜２２才の年齢が半円形で表示されている。そして、撮影時年齢表示円５５ａに表示された年齢当時、例えばユーザが１８才〜２２才の時に流行した楽曲データが再生される。
扇形を構成する線分であって、反時計回り側の線分は年齢幅の始点を示す年齢幅始点表示線５５ｂであり、時計回り側の線分は年齢幅の終点を示す年齢幅終点表示線５５ｃである。ユーザは、図２６（ｂ）に示すように、年齢幅終点表示線５５ｃを図示しないマウスポインタで反時計回り方向にドラッグすることによって、年齢幅の終点を変更することができ、変更後の年齢当時に流行した楽曲データ、例えばユーザが１８才の時に流行した楽曲データが再生される。同様に、図２６（ｃ）に示すように、年齢幅始点表示線５５ｂをマウスポインタで時計回り方向にドラッグすることによって、年齢幅の始点を変更することができ、変更後の年齢当時に流行した楽曲データ、例えばユーザが２２才の時に流行した楽曲データが再生される。
【０１２９】
図２７、図２８、及び図２９は、実施の形態４における楽曲付き電子アルバムのスライドショー再生に係る処理手順を示すフローチャートである。
電子アルバム作成装置１のＣＰＵ１１と、再生装置２のＣＰＵ２１とは、実施の形態１と同様のステップＳ５１〜Ｓ６６の処理を実行し、ＣＰＵ２１がスライドショーの再生を受け付けた場合（ステップＳ６６：ＹＥＳ）、ＣＰＵ２１は、ユーザＩＤと、画像ＵＲＬと、画像属性情報とを電子アルバム作成装置１に順次送信する（ステップＳ４１１）。
【０１３０】
電子アルバム作成装置１のＣＰＵ１１は、再生装置２から送信されたユーザＩＤと、画像ＵＲＬと、画像属性情報とを受信し（ステップＳ４１２）、受信した画像属性情報と、楽曲データベース１８ｂから楽曲属性情報、特に撮影年月日とに基づいて、撮影年月日と流行時期とが合致する楽曲データを楽曲データベース１８ｂから検索する（ステップＳ４１３）。
【０１３１】
次いで、ＣＰＵ１１は、受信したユーザＩＤを用いてユーザ情報データベースから、ユーザの生年月日を検索し、検索して得た生年月日と、画像属性情報の撮影年月日とに基づいて、撮影時に対応した年齢を算出する（ステップＳ４１４）。例えば、ユーザの生年月日が１９８２年１月１日の場合、画像データ３の撮影年月日２０００年４月１日〜２００４年３月３１日に対応する年齢として、１８才〜２２才を算出する。
【０１３２】
次いで、ＣＰＵ１１は、画像ＵＲＬで指定された画像データと、ステップＳ４１３で検索された各楽曲を特定するための楽曲ＩＤを含む楽曲リストと、ステップＳ４１４で算出した年齢を示す年齢情報を再生装置２に送信する（ステップＳ４１５）。
【０１３３】
再生装置２のＣＰＵ２１は、電子アルバム作成装置１から送信された画像データと楽曲リストと年齢情報を受信し（ステップＳ４１６）、受信した画像データを再生して、該画像データに係る画像を表示部２７に表示する（ステップＳ４１７）。そして、ＣＰＵ２１は、図２６（ａ）に示すように受信した年齢情報に基づいて、撮影年月日に対応する年齢を撮影時年齢表示円５５ａに表示する（ステップＳ４１８）。
【０１３４】
次いで、ＣＰＵ２１は、楽曲ＩＤを電子アルバム作成装置１に順次繰り返し送信する（ステップＳ４１９）。
【０１３５】
電子アルバム作成装置１は、再生装置２から送信された楽曲ＩＤを受信し（ステップＳ４２０）、受信した楽曲ＩＤに基づいて楽曲データベース１８ｂから楽曲データを検索し、検索して得た楽曲データを再生装置２に送信する（ステップＳ４２１）。
【０１３６】
再生装置２のＣＰＵ２１は、電子アルバム作成装置１から送信された楽曲データを受信し（ステップＳ４２２）、受信した楽曲データを再生する（ステップＳ４２３）。
【０１３７】
次いで、ＣＰＵ２１は、図２６（ｂ），（ｃ）に示すように年齢幅の変更を受け付け（ステップＳ４２４）、年齢幅の変更の有無を判定する（ステップＳ４２５）。年齢幅変更ありと判定した場合（ステップＳ４２５：ＹＥＳ）、ＣＰＵ２１は、変更された年齢幅を示す年齢情報を電子アルバム作成装置１に送信する（ステップＳ４２６）。
【０１３８】
電子アルバム作成装置１のＣＰＵ１１は、再生装置２から送信された年齢情報を受信し（ステップＳ４２７）、受信した年齢情報と、ユーザ情報データベースに格納された誕生時情報と、楽曲属性情報とに基づいて、前記年齢当時に流行した楽曲データを選択する（ステップＳ４２８）。例えば、ＣＰＵ１１は、誕生時情報と年齢情報とに基づいて、該年齢情報が示す年齢に対応する時間を西暦で算出し、算出して得た時間と、楽曲属性情報とに基づいて、前記年齢当時に流行した楽曲データを選択する。具体的には、年齢情報が１８才〜１９才の年齢を示している場合、ユーザの誕生日が１９８２年１月１日場合、前記年齢は、２０００年１月１日〜２００１年１月１日に換算され、当該時期と流行時期とが合致する楽曲データが選択される。そして、ＣＰＵ１１は、ステップＳ４２８で検索された各楽曲を特定するための楽曲ＩＤを含む楽曲リストを再生装置２に送信し（ステップＳ４２９）、再生装置２のＣＰＵ２１は、電子アルバム作成装置１から送信された楽曲リストを受信し（ステップＳ４３０）、処理をステップＳ４１８に戻す。
【０１３９】
ステップＳ４２５で年齢変更無しと判定した場合（ステップＳ４２５：ＮＯ）、再生装置２のＣＰＵ２１は、楽曲データを所定時間以上再生したか否かを判定する（ステップＳ４３１）。所定時間以上再生したと判定した場合（ステップＳ４３１：ＹＥＳ）、ＣＰＵ２１は、処理をステップＳ４１８に戻す。
【０１４０】
所定時間未満であると判定した場合（ステップＳ４３１：ＮＯ）、ＣＰＵ２１は、次の画像を表示するか否かを判定する（ステップＳ４３２）。次の画像を表示すると判定した場合（ステップＳ４３２：ＹＥＳ）、ＣＰＵ２１は、処理をステップＳ４１１に戻す。次の画像を表示しないと判定した場合（ステップＳ４３２：ＮＯ）、ＣＰＵ２１は、再生を終了するか否かを判定する（ステップＳ４３３）。
【０１４１】
再生を終了しないと判定した場合（ステップＳ４３３：ＮＯ）、ＣＰＵ２１は、処理をステップＳ４２２に戻す。再生を終了すると判定した場合（ステップＳ４３３：ＹＥＳ）、ＣＰＵ２１は、楽曲付き電子アルバムのスライドショー再生に係る処理を終える。
【０１４２】
実施の形態４に係る電子アルバムシステムにあっては、楽曲の流行時期をユーザ自身の年齢によって指定し、指定された年齢当時に流行した楽曲データを再生することができ、感慨深く電子アルバムを閲覧することができる。流行時期の指定を、西暦でなく各ユーザの年齢によって行うことができるため、流行時期を感覚的に指定することができる。
例えば、画像データの撮影時に２０００年４月１日〜２００４年３月３１日のような時間幅があるような場合、この４年間に流行した楽曲が順次再生されるが、図２６（ｂ）に示すようにユーザが撮影当時の年齢を１８才に指定すると、ユーザが１８才であった時に流行した楽曲データが再生され、図２６（ｃ）に示すように年齢を２２才に指定すると、ユーザが２２才に流行した楽曲データが再生される。
【０１４３】
なお、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【０１４４】
【図１】本発明に係る電子アルバムシステムの構成を示す模式図である。
【図２】本発明に係る電子アルバム作成装置の構成を示すブロック図である。
【図３】画像データベースの一例を概念的に示す説明図である。
【図４】楽曲データベースを概念的に示す説明図である。
【図５】ヒット曲データベースを概念的に示す説明図である。
【図６】再生装置の構成を示すブロック図である。
【図７】マイページ画像の一例を示す模式図である。
【図８】写真の投稿に係る処理手順を示すフローチャートである。
【図９】写真の投稿に係る処理手順を示すフローチャートである。
【図１０】写真画像データの選択画面の一例を示す模式図である。
【図１１】画像ファイルのデータ構造を概念的に示す説明図である。
【図１２】画像属性情報の編集画面の一例を示す模式図である。
【図１３】楽曲付き電子アルバムのスライドショー再生に係る処理手順を示すフローチャートである。
【図１４】楽曲付き電子アルバムのスライドショー再生に係る処理手順を示すフローチャートである。
【図１５】楽曲付き電子アルバムのスライドショー再生に係る処理手順を示すフローチャートである。
【図１６】検索された画像のサムネイル画像一覧を含むマイページの一例の模式図である。
【図１７】スライドショー再生画像の一例を示す模式図である。
【図１８】実施の形態２における楽曲付き電子アルバムのスライドショー再生に係る処理手順を示すフローチャートである。
【図１９】実施の形態２における楽曲付き電子アルバムのスライドショー再生に係る処理手順を示すフローチャートである。
【図２０】本発明の実施の形態３に係る電子アルバムシステムの構成を示す模式図である。
【図２１】携帯電話機の構成を模式的に示すブロック図である。
【図２２】実施の形態３における画像データベースの一例を概念的に示す説明図である。
【図２３】楽曲関連位置データベースの一例を概念的に示す説明図である。
【図２４】ユーザ情報データベースの一例を概念的に示す説明図である。
【図２５】実施の形態４における画像データベースの一例を概念的に示す説明図である。
【図２６】実施の形態４におけるスライドショー再生画像の一例を示す模式図である。
【図２７】実施の形態４における楽曲付き電子アルバムのスライドショー再生に係る処理手順を示すフローチャートである。
【図２８】実施の形態４における楽曲付き電子アルバムのスライドショー再生に係る処理手順を示すフローチャートである。
【図２９】実施の形態４における楽曲付き電子アルバムのスライドショー再生に係る処理手順を示すフローチャートである。
【符号の説明】
【０１４５】
１  電子アルバム作成装置
２  再生装置
３  記録媒体
４  コンピュータプログラム
１１  ＣＰＵ
１４  通信部
１８  記憶装置
１８ａ  画像データベース
１８ｂ  楽曲データベース
１８ｃ  ヒット曲データベース
２１  ＣＰＵ
２５  通信部
２０２  携帯電話機（再生装置）
Ｎ  通信網
【図１】
0005064917.tif 000002
【図２】
0005064917.tif 000003
【図３】
0005064917.tif 000004
【図４】
0005064917.tif 000005
【図５】
0005064917.tif 000006
【図６】
0005064917.tif 000007
【図７】
0005064917.tif 000008
【図８】
0005064917.tif 000009
【図９】
0005064917.tif 000010
【図１０】
0005064917.tif 000011
【図１１】
0005064917.tif 000012
【図１２】
0005064917.tif 000013
【図１３】
0005064917.tif 000014
【図１４】
0005064917.tif 000015
【図１５】
0005064917.tif 000016
【図１６】
0005064917.tif 000017
【図１７】
0005064917.tif 000018
【図１８】
0005064917.tif 000019
【図１９】
0005064917.tif 000020
【図２０】
0005064917.tif 000021
【図２１】
0005064917.tif 000022
【図２２】
0005064917.tif 000023
【図２３】
0005064917.tif 000024
【図２４】
0005064917.tif 000025
【図２５】
0005064917.tif 000026
【図２６】
0005064917.tif 000027
【図２７】
0005064917.tif 000028
【図２８】
0005064917.tif 000029
【図２９】
0005064917.tif 000030